(57)【特許請求の範囲】
【請求項１】
透明基材に電極を作製した電極フィルムと、
前記電極フィルムに積層された回折格子と、
を備えた電極フィルムの積層体を画像表示パネルのパネル面に配置した画像表示装置であって、
前記電極は、第１方向及び前記第１方向に直交する第２方向にそれぞれ延長する細線形状であって、かつこの延長方向と直交する方向にそれぞれ細線形状の部位が繰り返し形成されており、
前記電極の繰り返しのピッチは、５０〜１００μｍであり、
前記回折格子のピッチは、前記電極の繰り返しのピッチより大きく、かつ、前記画像表示パネルの画素ピッチの１／１０倍以上、１倍以下であり、
２度以上の角度により前記電極の繰り返し方向と前記回折格子の繰り返し方向とが交差する
画像表示装置。
【請求項２】
前記回折格子は、屈折率異方性を保持した状態で硬化した液晶材料により形成された位相差層からなること、
を特徴とする請求項１に記載の画像表示装置。
【請求項３】
前記回折格子が、
前記電極の繰り返し方向への周期構造による一次元の回折格子である
請求項１又は請求項２に記載の画像表示装置。
【請求項４】
前記回折格子が、
二次元の回折格子である
請求項１又は請求項２に記載の画像表示装置。
【請求項５】
前記回折格子が、
一次元の回折格子の積層体である
請求項４に記載の画像表示装置。
【発明の詳細な説明】
【技術分野】
【０００１】
本発明は、タッチパネル、電磁波シールド等に使用する電極フィルムの積層体、この電極フィルムの積層体を使用した画像表示装置等に関する。
【背景技術】
【０００２】
従来、画像表示装置では、タッチパネルによりユーザ操作を検出するものがある。ここでタッチパネルは、ユーザ操作検出用の電極が作成された透明フィルム材による電極フィルムが画像表示パネルのパネル面に配置され、この電極により静電容量等の変化を検出することによりユーザの操作を検出する。タッチパネルでは、この電極を視認困難とし、タッチパネルを設けたことによる表示画面の視認性の低下が防止される。
【０００３】
タッチパネルでは、ＩＴＯ（Ｉｎｄｉｕｍ  Ｔｉｎ  Ｏｘｉｄｅ）による透明電極材によりこの種の電極を構成することにより、この電極を視認困難とする構成が採用されている。またタッチパネルでは、ＩＴＯに代えて、銅、アルミ等の金属材料を使用して微細幅により電極を形成する方法も採用されている（特許文献１）。また特許文献２には、低反射層を設けることにより、この種の電極を視認困難とする工夫が提案されている。また特許文献３には、この種の電極をメッシュ形状により作成するようにして、このメッシュ形状に係る各部の断面形状の工夫により視認困難とする工夫が提案されている。このように金属材料により電極を作成し、さらにはメッシュ形状により電極を作成する場合には、電極の抵抗を小さくすることができることにより、高い応答速度でユーザ操作を検出することができる。
【０００４】
特許文献４、５には、ビデオカメラ等において、光学的ビューファインダに代えて、フラットディスプレイによる電子ビューファインダを使用する場合に、このフラットディスプレイの前面に回折格子による光学的ローパスフィルタを配置する構成が開示されている。
【０００５】
ところで従来のタッチパネルは、ユーザによって電極が視認される場合があることが判った。これによりタッチパネルにあっては、電極を一段と視認困難とすることが望まれる。
【先行技術文献】
【特許文献】
【０００６】
【特許文献１】特開２０１０−２５７３５０号公報
【特許文献２】特開２０１３−２３５３１５号公報
【特許文献３】特開２０１４−１６９４４号公報
【特許文献４】特開昭６３−１１４４７５号公報
【特許文献５】特開平０５−２２７４５６号公報
【発明の概要】
【発明が解決しようとする課題】
【０００７】
本発明はこのような状況に鑑みてなされたものであり、タッチパネル等に使用される電極に関して、従来に比して一段と電極を視認困難とすることを目的とする。
【課題を解決するための手段】
【０００８】
本発明者は、上記課題を解決するために鋭意研究を重ね、電極を備えたフィルム材に回折格子を積層配置し、この回折格子の光学的ローパスフィルタの機能により電極を視認困難とするとの着想に至り、本発明を完成するに至った。
【０００９】
（１）  透明基材に電極を作製した電極フィルムと、
前記電極フィルムに積層された回折格子とを備える。
【００１０】
（１）によれば、回折格子の光学的ローパスフィルタの機能により電極の視認性を低減することができ、その結果、従来に比して一段と電極を視認困難とすることができる。
【００１１】
（２）  （１）において、
前記電極が、タッチパネルにおいてユーザ操作の検出に供する電極である。
【００１２】
（２）によれば、タッチパネルに適用して、このタッチパネルに係る電極を従来に比して一段と視認困難とすることができる。
【００１３】
（３）  （１）又は（２）において、
前記回折格子が、
前記電極の繰り返し方向への周期構造による一次元の回折格子である。
【００１４】
（３）によれば、効率良く電極に係る空間周波数成分を抑圧して、従来に比して一段と電極を視認困難とすることができる。
【００１５】
（４）  （１）又は（２）において、
前記回折格子が、
二次元の回折格子である。
【００１６】
（４）によれば、１組の電極が、延長方向が直交するように配置されている場合に、効率良く電極に係る空間周波数成分を抑圧して、従来に比して一段と電極を視認困難とすることができる。
【００１７】
（５）  （４）において、
前記回折格子が、
一次元の回折格子の積層体である。
【００１８】
（５）によれば、一次元の回折格子を積層して簡易に２次元の回折格子を構成することができる。
【００１９】
（６）  （１）、（２）、（３）、（４）、（５）の何れかに記載の電極フィルムの積層体を画像表示パネルのパネル面に配置した画像表示装置。
【００２０】
（６）によれば、タッチパネルを備えた画像表示装置等において、電極フィルムに設けられた電極を従来に比して一段と視認困難とすることができる。
【発明の効果】
【００２１】
タッチパネル等に使用される電極フィルムの積層体に関して、一段と電極を視認困難とすることができる。
【図面の簡単な説明】
【００２２】
【図１】本発明の第１実施形態に係る画像表示装置を示す図である。
【図２】回折格子の機能の説明に供する図である。
【図３】図１の画像表示装置に適用される回折格子の説明に供する図である。
【図４】図３の回折格子の製造工程の説明に供する図である。
【図５】本発明の第２実施形態に係る画像表示装置に適用される回折格子を示す図である。
【図６】本発明の第３実施形態に係る画像表示装置に適用される回折格子を示す図である。
【発明を実施するための形態】
【００２３】
〔第１実施形態〕
〔画像表示装置及び電極フィルムの積層体〕
図１は、本発明の第１実施形態に係る画像表示装置を示す図である。この画像表示装置１は、タッチパネルを備えた画像表示装置であり、画像表示パネル２のパネル面（視聴者側面）に、タッチパネル用による電極フィルムの積層体３が配置される。ここで画像表示パネル２は、液晶表示パネルであり、背面にバックライト装置６が配置される。また画像表示パネル２には、液晶セル５の入射面及び出射面にそれぞれ直線偏光板７Ａ、７Ｂが配置され、液晶セル５は、透明電極を配置したガラス板等の透明部材により液晶を挟持して構成される。またバックライト装置６は、いわゆるサイドエッジ型、直射型等、種々の構成を広く適用することができる。なお画像表示パネル２には、液晶表示パネルに代えて、有機ＥＬによる画像表示パネル、プラズマディスプレ等、種々の構成を広く適用することができる。
【００２４】
電極フィルムの積層体３は、回折格子１０とタッチパネル用センサーフィルム９とを接着層１１、１２によりカバーガラス１４の両面にそれぞれ配置して構成され、タッチパネル用センサーフィルム９が画像表示パネル２側となるように配置される。なおカバーガラス１４を省略して回折格子１０をタッチパネル用センサーフィルム９に直接積層するようにしてもよい。また回折格子１０とタッチパネル用センサーフィルム９とをカバーガラス１４の画像表示パネル２側に、又はこれと逆側に配置するようにしてもよい。またハードコート層、反射防止層等を最表面に適宜配置するようにしてもよい。
【００２５】
ここでタッチパネル用センサーフィルム９は、透明基材１５に電極を作製したフィルム材（以下、電極フィルムと呼ぶ）であり、Ｘ方向及びＹ方向にそれぞれ延長する細線形状であって、かつこの延長方向と直交する方向にそれぞれ細線形状の部位が繰り返し作製されてなる電極９Ｘ及び９Ｙを、一定の間隔だけ離間して対向するように保持して構成される。この画像表示装置１は、この電極９Ｘ及び９Ｙを図示しないタッチパネル用の信号処理回路により順次走査して電極間の静電容量の変化等によりユーザによる操作を検出する。なお電極９Ｘ及び９Ｙは、Ｘ方向及びＹ方向にそれぞれ延長する部位をメッシュ形状により作製するようにしてもよい。
【００２６】
タッチパネル用センサーフィルム９は、透明フィルムによる基材１５の一方の面及び他方の面にそれぞれ電極９Ｘ及び９Ｙを作製して構成される。ここで基材１５は、ＰＥＴフィルム、ＴＡＣ（トリアセチルセルロース）等の透明フィルムを適用することができる。
【００２７】
電極９Ｘ及び９Ｙは、銀、銅、金、アルミニウム等の金属材料が好適に用いられる。電極９Ｘ及び９Ｙは、単体の金属や合金であってもよく、金属粒子が結着材により結着されたものでもよい。なお電極９Ｘ及び９Ｙは、必要に応じて、金属表面に防錆処理が施される。なお電極９Ｘ及び９Ｙは、ＩＴＯ等による透明電極材により作成してもよく、この場合、何らユーザ操作の検出に供しないダミー電極を設けて、電極９Ｘ及び９Ｙを視認し難くする構成を適用してもよい。
【００２８】
電極９Ｘ及び９Ｙは、フォトリソグラフィー（エッチング）、パターン印刷、転写、自己組織化等により作製することができる。ここでフォトリソグラフィーにより作製する場合は、基材１５にラミネート、蒸着、スパッタリング等により金属層を作製し、この金属層をエッチングして作製する。パターン印刷で作製する手法としては、導電性インキを電極パターンの形状に印刷する手法、無電解めっきの触媒機能を有する材料を電極の形状により印刷した後、導電性金属を無電解めっきする手法、無電解めっきの触媒と付加体を形成する材料を印刷後、触媒を付加し無電解めっき処理を行う手法等が挙げられる。導電性インキとしては銀ペースト、銅ペースト、導電性高分子等が挙げられる。触媒機能を有する材料としてはパラジウム等の触媒粒子や、触媒粒子を表面に担持した粒子等を含むインキ等が挙げられる。触媒と付加体を形成する材料としては銀や導電性高分子、吸着性材料等を含むインキ等が挙げられる。無電解めっき層を形成する金属としては銅やニッケル、銀等の導電性金属が挙げられる。上記パターン印刷の方法としては必要とされるパターン精度により任意の手法が適用できるが、スクリーン印刷や、凹版オフセット印刷、あるいはＵＶ硬化プライマーにより凹版から転写させる方法等が好適に用いられる。接着層１１は、紫外線硬化性樹脂、熱硬化性樹脂剤等、各種の接着剤、粘着剤を広く適用することができるものの、全体の厚みを薄くする観点から、紫外線硬化性樹脂を適用することが好ましい。
【００２９】
なおタッチパネル用センサーフィルム９は、それぞれ電極９Ｘ及び９Ｙを作製してなる透明基材を積層して構成するようにしてもよい。またそれぞれ電極９Ｘ及び９Ｙを作製してなる透明基材を用意し、一方の基材に作製した電極９Ｘ又は９Ｙを他方の基材に転写して作製するようにしてもよい。
【００３０】
カバーガラス１４は、この種の画像表示装置に適用される各種ガラス板を適用することができる。
【００３１】
〔回折格子〕
画像表示装置１では、このカバーガラス１４に回折格子１０を配置し、この回折格子１０による光学的ローパスフィルタの機能により電極９Ｘ及び９Ｙを視認し難くする。図２はこの回折格子に係る構成を模式的に示す断面図及び斜視図である。この図２においては、理解を容易にするため、一定ピッチＰ２により断面矩形形状による凹溝が繰り返し作製されてなる透明部材により回折格子１０を示す。従ってこの図２に示す回折格子１０は、厚みの変化による光学的光路長の異なる周期構造による回折格子であり、透過型の回折格子である。回折格子１０においては、この繰り返しの周期構造により、この繰り返し方向について、透過光の空間周波数成分が高域側で抑圧され、その結果、光学的ローパスフィルタとして機能する。これによりこの実施形態では、回折格子１０を配置した分、回折格子１０の光学的ローパスフィルタの機能により、従来に比して電極９Ｘ及び９Ｙを視認し難くし、画質を向上させる。
【００３２】
ここでこの実施形態のように画像表示パネルのパネル面に配置されてタッチパネルを構成する電極９Ｘ及び９Ｙを視認できないようにする場合、この光学的ローパスフィルタにより充分に電極９Ｘ及び９Ｙの空間周波数成分を抑圧できるように、回折格子における繰り返しピッチＰ２等を設定することが必要である。このためにはピッチＰ２を、電極９Ｘ及び９Ｙのピッチ、線幅に対して十分に大きくすることが望ましい。しかしながらこのようにピッチＰ２を充分に大きくする場合には、画像表示パネル２による表示画像の解像度もこの回折格子１０の繰り返し方向について低下することになり、画像がぼやけたものになる。これにより画像表示装置１では、画像表示パネル２による表示画像の解像度の低下を知覚できない範囲で、ピッチＰ２を充分に大きくして電極９Ｘ及び９Ｙを視認できないようにする。より具体的に、タッチパネルが適用される携帯型の画像表示装置では、画素ピッチが２００μｍ程度であり、電極９Ｘ及び９Ｙの線幅が２μｍ程度、ピッチＰ１が５０〜１００μｍであることにより、ピッチＰ２は、画像表示パネルの画素ピッチ以下、１／１０画素ピッチ以上に設定され、例えば２００μｍ程度に設定される。
【００３３】
また回折格子１０にあっては、その繰り返し方向について光学的ローパスフィルタとして機能することにより、図２（Ｂ）により示すように、最も表面側である電極９Ｘの繰り返し方向Ｘが、回折格子１０の繰り返し方向となるように設定して、効率良く電極９Ｘを視認できないようにすることができる。しかしながらこのように電極９Ｘの繰り返し方向Ｘが、回折格子１０の繰り返し方向となるように設定する場合にあっては、この２つの繰り返し構造による周期性により干渉縞（モアレ）が発生する恐れもあることにより、２度以上好ましくは５度以上より好ましくは１０度以上の角度により電極９Ｘの繰り返し方向Ｘと回折格子１０の繰り返し方向とが交差するように配置することが望ましい。
【００３４】
またこの最表層の電極９Ｘだけでなく、その下層の電極９Ｙについても視認できないようにすることが望まれ、この下層の電極９Ｙにあっては、電極９Ｘに対して延長方向が直交することにより、電極９Ｘの繰り返し方向Ｘと回折格子１０の繰り返し方向とが４５度の角度により交差するように配置して、電極９Ｘ及び９Ｙの双方について、回折格子１０の繰り返し方向に係る空間周波数成分を抑圧し、電極９Ｘ及び９Ｙを見難くしてもよい。
【００３５】
図３は、この実施形態に係る回折格子１０の具体的構成を示す斜視図である。回折格子１０は、ＴＡＣ（トリアセチルセルロース）、アクリル、シクロオレフィンポリマー等の透明フィルムからなる基材２２の一方の面上に、配向層２３、位相差層２４が順次設けられる。回折格子１０は、位相差層２４がカバーガラス１４側となるように配置されて、接着層１２によりカバーガラス１４に保持される。しかしながら電極９Ｘ、９Ｙをより視認し難くする観点からは、基材２２がカバーガラス１４側となるように配置して電極９Ｘ、９Ｙから位相差層２４を遠ざけることが望ましい。
【００３６】
回折格子１０は、屈折率異方性を保持した状態で固化（硬化）した液晶材料により位相差層２４が形成され、この液晶材料の配向を配向層２３の配向規制力によりパターンニングする。なおこの液晶分子の配向を図３では細長い楕円により誇張して示す。このパターンニングにより、回折格子１０は、図２について上述した繰り返し構造に対応して、遅相軸方向が異なる第１及び第２の帯状領域Ａ及びＢが順次交互に作製され、この遅相軸方向が異なる領域Ａ及びＢにより周期構造が形成される。ここでこのように遅相軸方向が異なる周期構造は、透過光の偏光面に対応した屈折率の異なる領域の周期構造であり、これにより図２について上述したような光学的光路長が異なる周期構造が作製されていることになり、これにより回折格子として機能することになる。
【００３７】
この実施形態では、この第１及び第２の帯状領域Ａ及びＢの遅相軸方向が直交するように設定される。またこの第１及び第２の帯状領域Ａ及びＢの出射光が１／２波長の位相差を成す厚みにより作製される。これによりこの実施形態では、回折格子１０を効率良く光学的ローパスフィルタとして機能させ、電極９Ｘ及び９Ｙを視認できないようにする。
【００３８】
なおこの様に、第１及び第２の帯状領域Ａ及びＢの遅相軸方向が直交するように設定されている場合は、画像表示パネル２に設けられた出射面側直線偏光板７Ａの透過軸に対する帯状領域Ａ及びＢの遅相軸方向は何度に設定してもよい。その理由は、帯状領域Ａ及びＢの遅相軸方向が直交しているので、どの様な偏光が入射した場合でも、回折格子１０は、帯状領域Ａ及びＢによる屈折率の異なる繰り返しの周期構造となっているためである。本発明の特徴の１つはこの点にある。仮に、帯状領域Ａ及びＢの一方の液晶を水平配向、残りの一方を垂直配向とした場合は、この回折格子に偏光依存性が出て来るので、出射面側直線偏光板７Ａの透過軸に対する帯状領域Ａ及びＢの遅相軸方向は決められた角度に合わせなければならず、そうすると前述した電極９Ｘ、９Ｙと回折格子の繰り返し構造による周期性起因の干渉縞（モアレ）の発生を抑制するために電極と回折格子の繰り返し方向とが交差する角度を自由に設定出来なくなってしまうからである。
【００３９】
なお実用上十分に画質の劣化を回避して電極９Ｘ及び９Ｙを視認できないようにすることができる場合には、第１及び第２の帯状領域Ａ及びＢの遅相軸方向が９０度以外の角度により交差するようにしてもよく、また第１及び第２の帯状領域Ａ及びＢの出射光における位相差を１／２波長以外の位相差に設定するようにしてもよい。
【００４０】
回折格子１０は、光配向材料により光配向材料層が作製された後、この光配向材料層に直線偏光による紫外線を照射し、これにより光配向の手法を適用して配向層２３が形成される。ここでこの光配向材料層に照射する紫外線は、位相差層２４に対応するように、その偏光の方向が第１及び第２の領域Ａ及びＢとで例えば９０度異なるように設定され、これにより位相差層２４に設けられる液晶材料に関して、第１及び第２の領域Ａ及び領域Ｂで対応する向きに液晶分子を配向させ、遅相軸方向を設定する。なお光配向材料は、光配向の手法を適用可能な各種の材料を適用することができるものの、この実施形態では、一旦配向した後には、紫外線の照射によって配向が変化しない、例えば光２量化型の材料を使用する。なおこの光２量化型の材料については、「M.Schadt,  K.Schmitt,  V.  Kozinkov  and  V.  Chigrinov  :  Jpn.  J.  Appl.Phys.,  31,  2155  (1992)」、「M.  Schadt,  H.  Seiberle  and  A.  Schuster  :  Nature,  381,  212  (1996)」等に開示されている。
【００４１】
なおこのように、一旦配向した後には、紫外線の照射によって配向が変化しない光配向材料に代えて、紫外線を照射する都度、照射する紫外線の偏光方向に応じて配向方向が変化する光配向材料を適用するようにしてもよい。また光配向による配向層に代えて、ラビング処理により配向層を作製してもよく、またラビング処理により作製された微細ライン状凹凸形状を転写して配向層を作製してもよい。またさらに直線偏光による紫外線の照射によりこの紫外線の偏光方向に配向して硬化する液晶ポリマーにより位相差層を構成するようにして、配向層を省略するようにしてもよい。
【００４２】
位相差層２４は、重合性液晶組成物を含有する。この重合性液晶組成物は、液晶性を示し分子内に重合性官能基を有する液晶化合物（以下、「棒状化合物」ともいう。）のほか、アンチブロッキング剤等を含有させることができる。
【００４３】
棒状化合物は、屈折率異方性を有し、配向層２３の配向規制力により規則的に配列することにより、所望の位相差性を付与する機能を有する。棒状化合物として、例えば、ネマチック相、スメクチック相等の液晶相を示す材料が挙げられるが、他の液晶相を示す液晶化合物と比較して規則的に配列させることが容易である点で、ネマチック相を示す棒状化合物を用いることがより好ましい。
【００４４】
本実施形態において用いられる棒状化合物の具体例としては、例えば、下記式（１）〜（１６）で表される化合物を例示できる。
【００４５】
【化１】
0006600129.tif 000002
0006600129.tif 000003
【００４６】
〔製造工程〕
図４は、この積層体３の製造工程を示すフローチャートである。積層体３の製造工程は、この図４に示す製造工程により長尺透明フィルム材による基材２２を順次処理して積層体３を生産する。ここでこの製造工程は、ロールに巻き取った長尺透明フィルム材により基材２２が提供され、配向層作成工程ＳＰ２において、光配向膜に係る塗工液がダイ等により塗布された後、乾燥、硬化され、これにより光配向材料層が作製される。続いてこの配向層作成工程ＳＰ２は、露光工程により紫外線を照射して基材上に配向層２３が作製される。ここで露光工程では、マスクを使用した直線偏光による紫外線の照射により、第１の帯状領域又は第２の帯状領域に対応する領域を選択的に露光処理した後、偏光方向が直交する直線偏光による紫外線を全面に照射することにより、実行される。
【００４７】
続いてこの製造工程は、位相差層作製工程ＳＰ３において、ダイ等により液晶材料の塗工液を塗工、乾燥させた後、紫外線の照射によりこの液晶材料を硬化させ、位相差層が作製され、これにより長尺フィルム形状により回折格子１０が作製される。次にこの製造工程は、切断工程ＳＰ４において、この長尺状フィルム形状による回折格子１０を所望の大きさに切り出する。
【００４８】
この製造工程は、続く貼合工程ＳＰ５において、別工程で生産したタッチパネル用センサーフィルム９、カバーガラス１４に回折格子１０を貼り合せ、これにより電極フィルムの積層体３を作製する。
【００４９】
この実施形態によれば、タッチパネル用センサーフィルムに回折格子を積層することにより、従来に比して、このタッチパネル用センサーフィルムに設けられた電極を視認困難とすることができる。
【００５０】
〔第２実施形態〕
図５は、図３との対比により本発明の第２実施形態に係る回折格子を示す分解斜視図である。この実施形態では、回折格子１０に代えてこの図５に示す回折格子３０が適用される点を除いて、第１実施形態と同一に構成される。この回折格子３０は、図３について上述した回折格子１０（１０Ａ及び１０Ｂ）を、第１及び第２の帯状領域Ａ及びＢの延長方向が直交するように、紫外線硬化性樹脂等を使用して回折格子１０Ａ及び１０Ｂを積層して作成され、これにより遅相軸方向が異なる領域の２次元の周期構造による２次元の光学的ローパスフィルタが構成される。なおこの図５において、この積層に係る２つの回折格子１０については、添え字による符号を異ならせて示す。なお基材２２Ａと２２Ｂと共に回折格子１０Ａ及び１０Ｂを積層する構成に代えて、１方の回折格子１０Ａ又は１０Ｂに他方の回折格子の位相差層２４Ｂ又は２４Ａのみ転写して２次元の回折格子を作製するようにしてもよい。またこの場合、配向層２３Ｂ又は２３Ａと一体に位相差層２４Ｂ又は２４Ａを転写するようにしてもよい。
【００５１】
ここでこの２つの回折格子１０Ａ及び１０Ｂにあっては、同一の構成を積層するようにしてもよく、第１及び第２の領域Ａ及びＢの領域幅、ピッチを異ならせて積層するようにしてもよい。なおこのように第１及び第２の領域Ａ及びＢの領域幅、ピッチを異ならせる場合には、この回折格子３０の繰り返し方向に係る２次元方向で、光学的ローパスフィルタの特性を異ならせることができる。
【００５２】
この実施形態に係る画像表示装置は、回折格子３０に係る繰り返し方向が、画像表示パネル２の水平方向及び垂直方向となるように配置される。このように２次元の回折格子を適用することにより、この回折格子により画像表示パネルの解像度が損なわれる場合であっても、この解像度の劣化が各方向に等しく表れるようにすることができ、この解像度の劣化による画質劣化を知覚できないようにすることができる。またこれにより一段と電極に係る空間周波数成分を抑圧して電極を視認困難とすることができる。また各方向について、電極に係る空間周波数成分を抑圧できることにより、電極を一段と視認困難とすることができる。
【００５３】
なおこのように回折格子３０に係る繰り返し方向が、画像表示パネル２の水平方向及び垂直方向となる配置に代えて、例えば斜め４５度の傾きとなるように配置してもよく、さらには種々の傾きにより配置するようにしてもよい。なお回折格子３０に係る繰り返し方向が、画像表示パネル２の水平方向及び垂直方向となる配置にあっては、上述したように、第１及び第２の領域Ａ及びＢの領域幅、ピッチを異ならせて、この繰り返し方向に係る空間周波数特性を異ならせるようにして、表示画面の水平方向及び垂直方向の特性を調整することもできる。
【００５４】
この実施形態では、２次元の回折格子を配置することにより、第１実施形態に比して一段と電極を視認できないようにすることができる。
【００５５】
またこの２次元の回折格子にあっては、１次元の回折格子の積層により作製できることにより、効率良く生産することができる。すなわち一次元の回折格子にあっては、図２について上述したように帯状領域の繰り返しにより位相差層を作製して構成することができ、この場合、ロールにより提供され長尺の基材を搬送しながら、搬送方向に延長するスリットをこの延長方向に直交する方向に繰り返し作製したマスクを使用した連続した露光処理により積層に供する各回折格子の配向膜を作製することができる。
【００５６】
これに対して１つの位相差層により２次元の回折格子を作製する場合には、位相差層における領域設定を市松模様状に実行することが必要である（第３実施形態参照）。従って、長尺の基材を搬送しながら配向膜を作製する場合、露光装置が特殊かつ煩雑な構成となる。これによりこの実施形態では、簡易に２次元の回折格子を作製することができる。
【００５７】
〔第３実施形態〕
図６は、本発明の第３実施形態に係る画像表示装置に適用される回折格子を示す図である。この実施形態では、回折格子３０に代えてこの図６に示す回折格子４０が適用される点を除いて、第２実施形態と同一に構成される。
【００５８】
ここで回折格子４０は、第１及び第２の領域Ａ及びＢが正面視、矩形形状により形成されて市松模様状に配置され、これにより１つの位相差層２４により２次元の回折格子が作製され、２次元の光学的ローパスフィルタが作製される。回折格子４０は、この領域Ａ及びＢの市松模様状の設定に対応するように、市松模様状にパターンニングされた配向規制力を発揮するように配向層２３が作製される。
【００５９】
この実施形態のように、市松模様状の領域の設定により回折格子を構成するようにしても、第２実施形態と同様の効果を得ることができる。
【００６０】
〔第４実施形態〕
この実施形態では、第１〜第３の実施形態について上述した遅相軸方向の異なる領域による繰り返し構造に代えて、図２について上述した厚みの異なる部位の繰り返し構造により回折格子を作製する。
【００６１】
なおこのような厚みの異なる回折格子にあっては、例えば対応する凹凸形状を備えた賦型用金型を使用した賦型処理により、対応する厚みの異なる第１及び第２の領域を基材の表面に繰り返し作製して回折格子を作製することができる。
【００６２】
この実施形態のように、厚みの異なる部位の繰り返し構造により回折格子を構成するようにしても、第１〜第３実施形態と同様の効果を得ることができる。
【００６３】
〔第５実施形態〕
この実施形態では、第１〜第３の実施形態について上述した遅相軸方向の異なる領域による繰り返し構造に代えて、屈折率の異なる領域の繰り返し構造により光学的光路長の異なる周期構造を作製して回折格子を作製する。
【００６４】
なおこのような回折格子は、例えば熱拡散等の手法により透明部材に不純物を部分的にドープして、第１及び第２の領域に対応する屈折率の異なる部位を作製することにより作製することができる。
【００６５】
この実施形態のように、屈折率の異なる領域の繰り返し構造により光学的光路長の異なる周期構造による回折格子を適用するようにしても、上述の実施形態と同様の効果を得ることができる。
【００６６】
〔他の実施形態〕
以上、本発明の実施に好適な具体的な構成を詳述したが、本発明は、本発明の趣旨を逸脱しない範囲で、上述の実施形態の構成を種々に組み合わせたり、変更したりすることができる。
【００６７】
すなわち上述の実施形態では、タッチパネルを備えた画像表示装置に適用して、このタッチパネルに係る電極を視認困難とする場合について述べたが、本発明はこれに限らず、画像表示パネルのパネル面に種々の電極を配置する構成に広く適用することができる。
【００６８】
具体的に、この種の画像表示装置において、画像表示パネルのパネル面に電磁シールド材を配置して不要輻射を低減する場合、タッチパネル用センサーフィルムと同様に、この電磁シールド材に視認困難にストライプ状に又はメッシュ状に微細線によりシールド用の電極を作製する。このような構成において、電磁シール材と回折格子との積層体により電極フィルムの積層体を構成するようにして、この電極を一段と視認困難とすることができる。
【００６９】
またこの種の画像表示装置において、画像表示パネルのパネル面に、アンテナをプリントしたフィルム材を配置してアンテナを構成する場合、タッチパネル用センサーフィルムと同様に、このフィルム材に視認困難にストライプ状に又はメッシュ状に微細線によりアンテナをプリントする。このような構成において、このアンテナをプリントしたフィルム材と回折格子とを積層して電極フィルムの積層体を構成するようにして、この電極を一段と視認困難とすることができる。
【００７０】
また上述の実施形態では、遅相軸方向の異なる領域の周期構造、厚みの異なる部位の周期構造、屈折率の異なる部位の周期構造によりそれぞれ回折格子を構成する場合について述べたが、本発明はこれに限らず、これらの構造の組み合わせにより回折格子を作製するようにしてもよい。
【００７１】
また上述の第１実施形態〜第３実施形態では、基材、配向層、位相差層を一体に電極フィルムであるタッチパネル用センサーフィルムに積層する場合について述べたが、本発明はこれに限らず、第１実施形態〜第３実施形態に係る回折格子では、位相差層が回折格子としての機能を担う部位であることにより、位相差層のみを電極フィルムに積層して電極フィルムの積層体を構成するようにしてもよい。またこの場合、配向膜を位相差層と共に積層するようにしてもよい。
【００７２】
また上述の実施形態では、画像表示パネルのパネル面に配置する場合について述べたが、本発明はこれに限らず、画像表示パネル以外の各部に配置する場合にも広く適用することができる。
【符号の説明】
【００７３】
１  画像表示装置
２  画像表示パネル
３  積層体
５  液晶セル
６  バックライト装置
７Ａ，７Ｂ  直線偏光板
９  タッチパネル用センサーフィルム
９Ｘ、９Ｙ  電極
１０、１０Ａ、１０Ｂ、３０、４０  回折格子
１１、１２  接着層
１４  カバーガラス
１５、２２、２２Ａ、２２Ｂ  基材
２３、２３Ａ、２３Ｂ  配向層
２４、２４Ａ、２４Ｂ  位相差層
【図１】
0006600129.tif 000004
【図２】
0006600129.tif 000005
【図３】
0006600129.tif 000006
【図４】
0006600129.tif 000007
【図５】
0006600129.tif 000008
【図６】
0006600129.tif 000009